(57)【特許請求の範囲】
【請求項１】
搬送路を搬送向きへ搬送されるシートへ画像を記録する記録ヘッドと、
第１モータと、
第２モータと、
上記記録ヘッドを搭載しており、上記第１モータから駆動力を付与されることによって、上記搬送向きと交差する走査方向に往復移動可能なキャリッジと、
上記第２モータから駆動力を付与されることによって上記走査方向に沿った第１回転軸周りに回転する駆動ギヤと、
上記駆動ギヤからの駆動力が伝達されることによって駆動する複数の駆動部と、
上記駆動ギヤからの駆動力の伝達先を上記複数の駆動部のいずれかに切り替える駆動切替機構と、
上記第１モータ及び上記第２モータを制御する制御部と、を具備しており、
上記駆動切替機構は、
上記駆動ギヤと噛合し、上記走査方向に沿った第２回転軸周りに回転する切替ギヤと、
上記走査方向に沿って並列に配置されており、上記切替ギヤと噛合し、上記走査方向に沿った第３回転軸周りに回転し、回転することにより上記各駆動部に駆動力をそれぞれ伝達する複数の伝達ギヤと、
上記走査方向に沿ってスライド可能に上記切替ギヤを支持しており、上記キャリッジの移動によって上記切替ギヤを上記各伝達ギヤの位置に応じた所定のスライド位置にスライドさせるスライド機構と、
上記各伝達ギヤと噛合する噛合位置、及び、上記各伝達ギヤと離間する離間位置との間で上記切替ギヤを移動させる離合機構と、を備えており、
上記離合機構は、上記切替ギヤを上記駆動ギヤ周りに移動可能に支持しており、上記駆動ギヤの回転方向に基づいて上記切替ギヤを上記噛合位置又は上記離間位置へ移動させる遊星機構を有しており、
上記制御部は、
上記第２モータを制御して、上記駆動ギヤを上記回転方向のうち一方に回転させて、上記離合機構によって、上記切替ギヤを上記噛合位置から上記離間位置へ移動させる離間処理と、
上記切替ギヤが上記離間位置にある状態で、上記第１モータを駆動して上記キャリッジを上記走査方向に沿って移動させることにより、上記スライド機構によって上記切替ギヤをスライドさせて当該切替ギヤを上記所定のスライド位置に対応するように移動させるスライド処理と、
上記第２モータを制御して、上記駆動ギヤを上記回転方向のうち上記一方とは逆方向の他方へ回転させて、上記離合機構によって、上記切替ギヤを上記離間位置から上記噛合位置へ移動させる噛合処理と、を実行する画像記録装置。
【請求項２】
上記遊星機構は、
上記切替ギヤを回転可能に支持し、上記第２回転軸が挿通されており、当該切替ギヤが上記噛合位置及び上記離間位置となるように当該第２回転軸に対して移動可能なギヤ支持部材と、
上記ギヤ支持部材と上記切替ギヤとの間に所定の摺動抵抗を生じさせる抵抗部と、を更に備えており、
上記第２回転軸が挿通される上記ギヤ支持部材の貫通孔は、上記噛合位置と上記離間位置との間における上記切替ギヤの移動方向に沿って延びる長穴であって、
上記切替ギヤは、上記駆動ギヤから伝達された当該切替ギヤの回転力が上記抵抗部を介して上記ギヤ支持部材に伝達されて、当該ギヤ支持部材が上記移動方向に沿った上記貫通孔に案内されることにより、上記噛合位置及び上記離間位置との間を移動する請求項１に記載の画像記録装置。
【請求項３】
上記駆動切替機構は、
上記キャリッジの移動領域に位置して上記キャリッジに当接可能な当接部と、上記ギヤ支持部材の周面に当接可能であり上記切替ギヤが上記噛合位置にある状態から上記離間位置へ移動することを規制する規制部とを有し、上記当接部がロック位置にあり、且つ上記規制部が上記ギヤ支持部材の周面と当接した規制位置にある第１位置と、上記当接部が上記ロック位置とは異なるリリース位置にあり、且つ上記規制部が上記ギヤ支持部材の周面と当接していない非規制位置にある第２位置と、に上記走査方向に沿った回動軸周りに回動可能な切替レバーと、
上記切替レバーを回動可能に支持するレバー支持部と、上記第２回転軸が挿通される挿通孔と、上記ギヤ支持部材を支持すると共に上記貫通孔に沿った当該ギヤ支持部材の移動を案内するガイド部と、を有し、上記切替レバーが移動されることに伴い当該切替レバーと一体に上記走査方向に沿って移動する案内部材と、
上記切替レバーを上記第１位置へ向けて付勢する付勢部材と、を備えている請求項２に記載の画像記録装置。
【請求項４】
上記キャリッジは、
上記切替レバーが上記第１位置にある状態で上記当接部と当接し、上記切替レバーを上記第１位置から上記第２位置へ案内する第１面と、当該第１面と連続しており上記切替レバーが上記第２位置へ回動した状態で上記当接部と当接し、上記第２位置を維持したまま上記切替レバーを上記走査方向のうちの一方向へ移動させるように当該一方向を向いた第２面と、を有するレバーガイドを備えている請求項３に記載の画像記録装置。
【請求項５】
上記駆動切替機構は、上記第２回転軸及び上記案内部材を支持する支持部材を更に備えており、
上記支持部材は、上記所定のスライド位置に対応して設けられた複数の溝部を備えており、
上記切替レバーは、
上記第１位置において上記溝部のいずれかに進入して上記走査方向に沿った当該切替レバーの移動を規制し、上記第２位置において上記溝部から離れて上記走査方向に沿った当該切替レバーの移動を許容する突出部を更に備えている請求項４に記載の画像記録装置。
【請求項６】
上記レバーガイドは、上記一方向と反対の他方向を向いた第３面を有しており、
最も上記一方向に位置する上記溝部は、上記突出部が上記一方向へ移動される過程において当該突出部と当接して、当該突出部を案内することにより上記切替レバーを上記第２位置に対して上記第１位置と反対の回動位置である第３位置へ回動させる第１案内面を有し、
最も上記他方向に位置する上記溝部は、上記突出部が上記他方向へ移動される過程において当該突出部と当接して、当該突出部を案内することにより上記切替レバーを上記第３位置へ回動させる第２案内面を有し、
上記切替レバーの上記当接部は、上記第３位置に位置する状態で、上記搬送向きに沿った方向において上記レバーガイドと当接しない請求項５に記載の画像記録装置。
【請求項７】
搬送路を搬送向きへ搬送されるシートへ画像を記録する記録ヘッドと、
第１モータと、
第２モータと、
上記記録ヘッドを搭載しており、上記第１モータから駆動力を付与されることによって、上記搬送向きと交差する走査方向に往復移動可能なキャリッジと、
上記第２モータから駆動力を付与されることによって上記走査方向に沿った第１回転軸周りに回転する駆動ギヤと、
上記駆動ギヤからの駆動力が伝達されることによって駆動する複数の駆動部と、
上記駆動ギヤからの駆動力の伝達先を上記複数の駆動部のいずれかに切り替える駆動切替機構と、
上記第１モータ及び上記第２モータを制御する制御部と、を具備しており、
上記駆動切替機構は、
上記駆動ギヤと噛合し、上記走査方向に沿った第２回転軸周りに回転する切替ギヤと、
上記走査方向に沿って並列に配置されており、上記切替ギヤと噛合し、上記走査方向に沿った第３回転軸周りに回転し、回転することにより上記各駆動部に駆動力をそれぞれ伝達する複数の伝達ギヤと、
上記走査方向に沿ってスライド可能に上記切替ギヤを支持しており、上記キャリッジの移動によって上記切替ギヤを上記各伝達ギヤの位置に応じた所定のスライド位置にスライドさせるスライド機構と、
上記各伝達ギヤと噛合する噛合位置、及び、上記各伝達ギヤと離間する離間位置との間で上記切替ギヤを移動させる離合機構と、を備えており、
上記切替ギヤが上記離間位置にあるときの上記切替ギヤの回転中心から上記伝達ギヤの回転中心までの距離は、上記切替ギヤが上記噛合位置にあるときの上記切替ギヤの回転中心から上記伝達ギヤの回転中心までの距離よりも大きく、
上記制御部は、
上記離合機構によって、上記切替ギヤを上記噛合位置から上記離間位置へ移動させる離間処理と、
上記切替ギヤが上記離間位置にある状態で、上記第１モータを駆動して上記キャリッジを上記走査方向に沿って移動させることにより、上記スライド機構によって上記切替ギヤをスライドさせて当該切替ギヤを上記所定のスライド位置に対応するように移動させるスライド処理と、
上記離合機構によって、上記切替ギヤを上記離間位置から上記噛合位置へ移動させる噛合処理と、を実行する画像記録装置。
【発明の詳細な説明】
【技術分野】
【０００１】
本発明は、シリアルヘッド方式でシートに画像を記録する画像記録装置に関する。
【背景技術】
【０００２】
従来より、記録ヘッドに設けられたノズルからインク滴を吐出することによってシートに画像を記録するインクジェット式の画像記録装置などシリアルヘッド方式の画像記録装置が知られている。インクジェット式の画像記録装置では、１つのモータの出力を複数の駆動部のいずれかへ切り替えて伝達するための駆動伝達機構を備えるものがある（特許文献１）。
【０００３】
特許文献１に開示される駆動伝達機構は、駆動ギヤ、切替ギヤ、及び複数の伝達ギヤを備えている。駆動ギヤは、モータからの駆動力によって回転する。伝達ギヤは、対応する駆動部へ駆動力を伝達する。切替ギヤは、駆動ギヤの回転をいずれかの伝達ギヤへ切り替えて伝達する。この駆動伝達機構では、記録ヘッドを搭載し、移動可能に設けられたキャリッジを当接させることで切替ギヤをスライドさせ、複数の伝達ギヤに駆動ギヤの回転を切り替えて伝達する。
【先行技術文献】
【特許文献】
【０００４】
【特許文献１】特開２００９−３４８３２号公報
【発明の概要】
【発明が解決しようとする課題】
【０００５】
上記の駆動伝達機構では、切替ギヤをスライドさせる際、駆動ギヤを、それまでの回転向きに対して若干逆回転させ、切替ギヤと伝達ギヤとの面圧を解除する。しかしながら、切替ギヤと伝達ギヤとの間の面圧が高い場合には、この方法では面圧が解除しにくい。また、面圧の解除のために上記の動作を行うため、切替ギヤの切り替えに時間を要する。
【０００６】
本発明は、上記の事情に鑑みてなされたものであり、その目的は、切替ギヤと伝達ギヤとの面圧の解除が確実に行え、且つ駆動力の伝達先の切替が迅速に行える画像記録装置を提供することにある。
【課題を解決するための手段】
【０００７】
(1)  本発明に係る画像記録装置は、搬送路を搬送向きへ搬送されるシートへ画像を記録する記録ヘッドと、第１モータと、第２モータと、上記記録ヘッドを搭載しており、上記第１モータから駆動力を付与されることによって、上記搬送向きと交差する走査方向に往復移動可能なキャリッジと、上記第２モータから駆動力を付与されることによって上記走査方向に沿った第１回転軸周りに回転する駆動ギヤと、上記駆動ギヤからの駆動力が伝達されることによって駆動する複数の駆動部と、上記駆動ギヤからの駆動力の伝達先を上記複数の駆動部のいずれかに切り替える駆動切替機構と、上記第１モータ及び上記第２モータを制御する制御部と、を具備している。上記駆動切替機構は、上記駆動ギヤと噛合し、上記走査方向に沿った第２回転軸周りに回転する切替ギヤと、上記走査方向に沿って並列に配置されており、上記切替ギヤと噛合し、上記走査方向に沿った第３回転軸周りに回転し、回転することにより上記各駆動部に駆動力をそれぞれ伝達する複数の伝達ギヤと、上記走査方向に沿ってスライド可能に上記切替ギヤを支持しており、上記キャリッジの移動によって上記切替ギヤを上記各伝達ギヤの位置に応じた所定のスライド位置にスライドさせるスライド機構と、上記各伝達ギヤと噛合する噛合位置、及び、上記各伝達ギヤと離間する離間位置との間で上記切替ギヤを移動させる離合機構と、を備えている。上記制御部は、上記離合機構によって、上記切替ギヤを上記噛合位置から上記離間位置へ移動させる離間処理と、上記切替ギヤが上記離間位置にある状態で、上記第１モータを駆動して上記キャリッジを上記走査方向に沿って移動させることにより、上記スライド機構によって上記切替ギヤをスライドさせて当該切替ギヤを上記所定のスライド位置に対応するように移動させるスライド処理と、上記離合機構によって、上記切替ギヤを上記離間位置から上記噛合位置へ移動させる噛合処理と、を実行する。
【０００８】
上記構成によれば、切替ギヤが噛合位置から離間位置へ移動されることにより、切替ギヤと伝達ギヤとの面圧が確実に解除される。また、切替ギヤが離間位置に位置する状態で、切替ギヤが走査方向に沿ってスライドされる。そのため、駆動ギヤを逆回転させて面圧を解除する必要がないので、第２モータの駆動力の伝達先の切替が迅速に行われる。
【０００９】
(2)  好ましくは、上記離合機構は、上記切替ギヤを上記駆動ギヤ周りに移動可能に支持しており、上記駆動ギヤの回転方向に基づいて上記切替ギヤを上記噛合位置又は上記離間位置へ移動させる遊星機構を有しており、上記制御部は、上記離間処理において、上記第２モータを制御して、上記駆動ギヤを上記回転方向のうち一方に回転させて上記切替ギヤを上記噛合位置から上記離間位置へ移動させ、上記噛合処理において、上記第２モータを制御して、上記駆動ギヤを上記回転方向のうち上記一方とは逆方向の他方へ回転させて上記切替ギヤを上記離間位置から上記噛合位置へ移動させる。
【００１０】
上記構成によれば、噛合位置と離間位置との間で切替ギヤが容易に移動される。
【００１１】
(3)  好ましくは、上記遊星機構は、上記切替ギヤを回転可能に支持し、上記第２回転軸が挿通されており、当該切替ギヤが上記噛合位置及び上記離間位置となるように当該第２回転軸に対して移動可能なギヤ支持部材と、上記ギヤ支持部材と上記切替ギヤとの間に所定の摺動抵抗を生じさせる抵抗部と、を更に備えており、上記第２回転軸が挿通される上記ギヤ支持部材の貫通孔は、上記噛合位置と上記離間位置との間における上記切替ギヤの移動方向に沿って延びる長穴であって、上記切替ギヤは、上記駆動ギヤから伝達された当該切替ギヤの回転力が上記抵抗部を介して上記ギヤ支持部材に伝達されて、当該ギヤ支持部材が上記移動方向に沿った上記貫通孔に案内されることにより、上記噛合位置及び上記離間位置との間を移動する。
【００１２】
上記構成によれば、ギヤ支持部材の貫通孔が長穴であるため、長穴に沿ってギヤ支持部材が移動可能である。切替ギヤの回転力が抵抗部によってギヤ支持部材へ伝達されると、切替ギヤが噛合位置から離間位置へ移動するか、又は、離間位置から噛合位置へ移動するように、ギヤ支持部材が移動する。
【００１３】
(4)  好ましくは、上記駆動切替機構は、上記キャリッジの移動領域に位置して上記キャリッジに当接可能な当接部と、上記ギヤ支持部材の周面に当接可能であり上記切替ギヤが上記噛合位置にある状態から上記離間位置へ移動することを規制する規制部とを有し、上記当接部がロック位置にあり、且つ上記規制部が上記ギヤ支持部材の周面と当接した規制位置にある第１位置と、上記当接部が上記ロック位置とは異なるリリース位置にあり、且つ上記規制部が上記ギヤ支持部材の周面と当接していない非規制位置にある第２位置と、に上記走査方向に沿った回動軸周りに回動可能な切替レバーと、上記切替レバーを回動可能に支持するレバー支持部と、上記第２回転軸が挿通される挿通孔と、上記ギヤ支持部材を支持すると共に上記貫通孔に沿った当該ギヤ支持部材の移動を案内するガイド部と、を有し、上記切替レバーが移動されることに伴い当該切替レバーと一体に上記走査方向に沿って移動する案内部材と、上記切替レバーを上記第１位置へ向けて付勢する付勢部材と、を備えている。
【００１４】
上記構成によれば、キャリッジの移動によって、切替レバーが第１位置と第２位置とに回動する。第１位置において、切替ギヤが噛合位置から離間位置へ移動することが規制され、第２位置において、当該規制が解除される。そのため、切替ギヤの移動の規制及び規制解除がキャリッジの移動によって行われる。
【００１５】
(5)  好ましくは、上記キャリッジは、上記切替レバーが上記第１位置にある状態で上記当接部と当接し、上記切替レバーを上記第１位置から上記第２位置へ案内する第１面と、当該第１面と連続しており上記切替レバーが上記第２位置へ回動した状態で上記当接部と当接し、上記第２位置を維持したまま上記切替レバーを上記走査方向のうちの一方向へ移動させるように当該一方向を向いた第２面と、を有するレバーガイドを備えている。
【００１６】
上記構成によれば、レバーガイドの第１面によって切替レバーの当接部が案内されることにより、キャリッジの当接によって切替レバーが第１位置から第２位置へ回動される。これにより、切替ギヤの移動の規制が解除される。その後、レバーガイドの第２面によって切替レバーの当接部が移動されることにより、切替レバーが第２位置に保持されたまま走査方向の一方向へ移動される。その結果、切替ギヤが一方向へ移動される。
【００１７】
(6)  好ましくは、上記駆動切替機構は、上記第２回転軸及び上記案内部材を支持する支持部材を更に備えており、上記支持部材は、上記所定のスライド位置に対応して設けられた複数の溝部を備えており、上記切替レバーは、上記第１位置において上記溝部のいずれかに進入して上記走査方向に沿った当該切替レバーの移動を規制し、上記第２位置において上記溝部から離れて上記走査方向に沿った当該切替レバーの移動を許容する突出部を更に備えている。
【００１８】
上記構成によれば、切替ギヤが伝達ギヤと噛合可能な所定のスライド位置においてのみ、切替レバーが第１位置へ移動可能となる。
【００１９】
(7)  好ましくは、上記レバーガイドは、上記一方向と反対の他方向を向いた第３面を有しており、最も上記一方向に位置する上記溝部は、上記突出部が上記一方向へ移動される過程において当該突出部と当接して、当該突出部を案内することにより上記切替レバーを上記第２位置に対して上記第１位置と反対の回動位置である第３位置へ回動させる第１案内面を有し、最も上記他方向に位置する上記溝部は、上記突出部が上記他方向へ移動される過程において当該突出部と当接して、当該突出部を案内することにより上記切替レバーを上記第３位置へ回動させる第２案内面を有し、上記切替レバーの上記当接部は、上記第３位置に位置する状態で、上記搬送向きに沿った方向において上記レバーガイドと当接しない。
【００２０】
上記構成によれば、キャリッジが走査方向の一方向へ移動して、切替レバーの当接部が一方向へ移動し、第１案内面に突出部が案内されて切替レバーが第３位置へ回動する。これにより、当接部が第３面を越える位置までレバーガイドが一方向へ移動する。この移動と付勢部材の付勢により、切替レバーの当接部がレバーガイドの第３面と当接する。この状態でキャリッジが走査方向の他方向へ移動すると、当接部が他方向へ引っ張られる。その結果、切替ギヤが他方向へ移動される。
【００２１】
また、キャリッジが走査方向の他方向へ移動して、切替レバーの当接部が他方向へ移動し、第２案内面に突出部が案内されて切替レバーが第３位置に回動する。これにより、当接部が第２面を越える位置までレバーガイドが他方向へ移動する。この移動と付勢部材の付勢により、切替レバーの当接部がレバーガイドの第２面と当接する。この状態でキャリッジが走査方向の一方向へ移動すると、当接部が一方向へ押される。その結果、切替ギヤが一方向へ移動される。
【発明の効果】
【００２２】
本発明によれば、切替ギヤを離間位置に移動させてから走査方向に移動させるので、切替ギヤと伝達ギヤとの面圧の解除が確実に行え、且つ駆動力の伝達先の切替が迅速に行われる。
【図面の簡単な説明】
【００２３】
【図１】図１は、複合機１０の斜視図である。
【図２】図２は、プリンタ部１１の内部構造を模式的に示す縦断面図である。
【図３】図３は、キャリッジ２３及びガイドレール４３，４４の平面図である。
【図４】図４は、メンテナンス機構１１０の模式図である。
【図５】図５は、プリンタ部１１のブロック図である。
【図６】図６は、切替機構７１の斜視図である。
【図７】図７は、図６からガイドレール４３及び搬送ローラ６０を除いた図である。
【図８】図８は、スライド機構７６を分解した状態を示す斜視図である。
【図９】図９は、切替機構７１の斜視図であり、レバーガイド２８が切替レバー８４の当接部９６に当接した状態を示す。
【図１０】図１０は、切替レバー８４が第１位置にある切替機構７１の断面図であり、（Ａ）は、図９におけるＡ−Ａ断面を示し、（Ｂ）は、図９におけるＢ−Ｂ断面の断面を示す。
【図１１】図１１は、切替レバー８４が第２位置にある切替機構７１の断面図であり、（Ａ）は、図９におけるＡ−Ａ断面を示し、（Ｂ）は、図９におけるＢ−Ｂ断面の断面を示す。
【図１２】図１２は、切替機構７１の斜視図であり、（Ａ）は、切替レバー８４が第３位置にあり突出部９７が第１案内面１５５に当接した状態を示し、（Ｂ）は、キャリッジ２３（レバーガイド２８）が折返位置にある状態を示す。
【図１３】図１３は、切替機構７１の斜視図であり、切替レバー８４が第３位置にあり突出部９７が第２案内面１５６に当接した状態を示す。
【図１４】図１４は、第１移動処理の流れを示すフローチャートである。
【図１５】図１５は、第２移動処理の流れを示すフローチャートである。
【発明を実施するための形態】
【００２４】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、複合機１０が使用可能に設置された状態（図１の状態）を基準として上下方向７が定義され、開口１３が設けられている面を前面として前後方向８が定義され、前方から複合機１０を視て左右方向９が定義される。
【００２５】
［複合機１０の全体構成］
複合機１０（画像記録装置の一例）は、図１に示されるように、概ね直方体に形成されている。複合機１０は、ファクシミリ機能及びプリント機能などの各種の機能を有している。複合機１０は、下部にインクジェット記録方式で記録紙１２（図２参照、シートの一例）の片面に画像を記録するプリンタ部１１を有している。なお、プリンタ部１１は、記録紙１２の両面に画像を記録するものであってもよい。
【００２６】
図２に示されるように、プリンタ部１１は、記録紙１２を搬送する搬送装置と、搬送装置によって搬送される記録紙１２に画像を記録する記録部２４と、搬送装置によって搬送される記録紙１２を支持するプラテン４２と、記録部２４に設けられたキャリッジ２３を左右方向９に沿って移動させるキャリッジモータ１０３（図５参照、第１モータの一例）と、を備えている。
【００２７】
搬送装置は、給送部１５と、給送トレイ２０と、排出トレイ２１と、搬送部５４と、排出部５５とを備えている。また、搬送装置は、図５に示されるように、搬送モータ１０２（第２モータの一例）と、制御部１３０と、駆動力伝達機構７０と、メンテナンス機構１１０とを備えている。
【００２８】
［給送トレイ２０、排出トレイ２１］
給送トレイ２０は、図１に示されるように、プリンタ部１１の前面に形成された開口１３を通じて後方へ挿入され前方へ脱抜される。給送トレイ２０は、積層された複数の記録紙１２を支持する。排出トレイ２１は、給送トレイ２０の上方に配置されている。排出トレイ２１は、排出部５５によって排出された記録紙１２を支持する。
【００２９】
［給送部１５］
給送部１５は、図２に示されるように、給送ローラ２５（駆動部の一例）と、給送アーム２６と、軸２７とを備えている。給送ローラ２５は、給送アーム２６の先端部に回転可能に支持されている。給送ローラ２５は、搬送モータ１０２（図５参照）の正回転によって、給送トレイ２０に支持された記録紙１２を後述する搬送路６５へ向けて搬送向き１６へ搬送する方向（すなわち、正回転）に回転する。給送アーム２６は、プリンタ部１１のフレーム（不図示）に支持された軸２７に回動可能に支持されている。
【００３０】
［搬送路６５］
プリンタ部１１の内部には、図２に示されるように、記録紙１２が通過する搬送路６５が形成されている。搬送路６５は、プリンタ部１１の内部において所定間隔を隔てて対向するガイド部材１８、１９によって画定される空間を指す。搬送路６５内における記録紙１２の搬送向き１６は、図２に一点鎖線の矢印で示されている。
【００３１】
本実施形態に係る搬送路６５は、湾曲された湾曲搬送路と、直線的に延びる直線搬送路とで構成されている。湾曲搬送路は、プリンタ部１１の後部において下方から上方に延びつつＵターンする経路である。直線搬送路は、搬送部５４から記録部２４及び排出部５５を経て排出トレイ２１に至る経路である。
【００３２】
［搬送部５４］
搬送部５４は、図２に示されるように、搬送路６５における記録部２４よりも搬送向き１６の上流に配置されている。搬送部５４は、互いに対向する搬送ローラ６０及びピンチローラ６１を備える。搬送ローラ６０は、搬送モータ１０２（図５参照）によって駆動される。ピンチローラ６１は、搬送ローラ６０の回転に伴って連れ回る。搬送部５４は、搬送モータ１０２の正回転による駆動力が伝達されることによって正回転する。正回転は、挟持した記録紙１２を搬送向き１６へ搬送する方向の回転である。つまり、搬送ローラ６０は、搬送路６５上の記録紙１２に当接した状態で回転することによって当該記録紙１２を搬送する。
【００３３】
［排出部５５］
排出部５５は、図２に示されるように、搬送路６５における記録部２４よりも搬送向き１６の下流に配置されている。排出部５５は、互いに対向する排出ローラ６２及び拍車６３を備える。排出ローラ６２は、搬送モータ１０２（図５参照）によって駆動される。拍車６３は、排出ローラ６２の回転に伴って連れ回る。排出部５５は、搬送モータ１０２の正回転による駆動力が伝達されることによって、挟持した記録紙１２を搬送向き１６へ搬送する正回転が可能である。
【００３４】
［記録部２４］
記録部２４は、図２に示されるように、搬送路６５における搬送部５４及び排出部５５の間に配置されている。記録部２４は、プラテン４２の上方にプラテン４２と対向して配置されている。記録部２４は、キャリッジ２３と、記録ヘッド３９とを備えている。キャリッジ２３からは、図３に示されるように、インクチューブ３２及びフレキシブルフラットケーブル３３が延出されている。インクチューブ３２は、インクカートリッジのインクを記録ヘッド３９に供給する。フレキシブルフラットケーブル３３は、制御部１３０が実装された制御基板（不図示）と記録ヘッド３９とを電気的に接続する。
【００３５】
キャリッジ２３は、図３に示されるように、前後方向８に離間する位置において各々が左右方向９へ延設されたガイドレール４３、４４に支持されている。キャリッジ２３は、ガイドレール４４に設けられた公知のベルト機構５３に連結されている。なお、このベルト機構５３は、キャリッジモータ１０３（図５参照）によって駆動される。つまり、キャリッジモータ１０３の駆動により周運動するベルト機構５３に連結されたキャリッジ２３は、左右方向９に沿う走査方向へ往復移動することができる。
【００３６】
記録ヘッド３９は、図２に示されるように、キャリッジ２３に搭載されている。記録ヘッド３９の下面には、複数のノズル４０（図４参照）が形成されている。記録ヘッド３９は、ノズル４０からインクを微小なインク滴として吐出する。キャリッジ２３が移動する過程において、搬送部５４によって搬送されてプラテン４２に支持されている記録紙１２に対して記録ヘッド３９がインク滴を吐出する。これにより、記録紙１２に画像が記録される。
【００３７】
キャリッジ２３は、記録紙１２への画像記録時に、左右方向９において記録ヘッド３９が記録紙１２へインク滴を吐出可能な範囲を往復移動する。具体的には、キャリッジ２３は、記録ヘッド３９の少なくとも一部が搬送路６５及びプラテン４２の真上となる範囲を往復動する。以下、画像記録時にキャリッジ２３が往復動する範囲は、シート対向領域（図３参照）と記される。
【００３８】
また、キャリッジ２３は、シート対向領域及び搬送路６５よりも右方、及びシート対向領域及び搬送路６５よりも左方に移動可能である。
【００３９】
［プラテン４２］
プラテン４２は、図２に示されるように、搬送向き１６における搬送部５４及び排出部５５の間に配置されている。プラテン４２は、記録部２４の下方に記録部２４と対向して配置されており、搬送部５４によって搬送される記録紙１２を下方から支持する。
【００４０】
［リニアエンコーダ５２］
図３に示されるように、ガイドレール４４には、エンコーダストリップ５０が配設されている。エンコーダストリップ５０は、透明な樹脂からなる帯状のものである。エンコーダストリップ５０は、その右端部及び左端部を支持部に支持されることによって、左右方向９に架設されている。
【００４１】
エンコーダストリップ５０には、光を透過させる透光部と光を遮断する遮光部とが、長手方向に等ピッチで交互に配置されたパターンが記されている。キャリッジ２３のエンコーダストリップ５０に対応する位置には、透過型センサである光学センサ５１が設けられている。エンコーダストリップ５０と光学センサ５１とによって、キャリッジ２３の位置を検知するためのリニアエンコーダ５２が構成される。光学センサ５１によって検知された信号は、後述する制御部１３０（図５参照）に出力される。
【００４２】
［メンテナンス機構１１０］
図４に示されるメンテナンス機構１１０（駆動部の一例）は、記録ヘッド３９のメンテナンスを行うものである。本実施形態において、メンテナンス機構１１０は、記録ヘッド３９のノズル４０からインクを吸引して、吸引したインクをチューブ１２１を通じて廃インクタンク１２０に送り出すものである。
【００４３】
図３に示されるように、メンテナンス機構１１０は、キャリッジ２３の移動経路の下方であって、プラテン４２の右端よりも右方に配置されている。つまり、メンテナンス機構１１０は、左右方向９において搬送路６５から外れた位置であり且つシート対向領域よりも右方に配置されている。メンテナンス機構１１０は、シート対向領域よりも右方に位置するキャリッジ２３の真下となる位置に配置されている。
【００４４】
図４に示されるように、メンテナンス機構１１０は、可動部１１１と、可動部１１１を上下方向７へ移動させるカム機構１１２と、インクが流れるチューブ１２１と、インクを吸引するポンプ１１３とを備えている。
【００４５】
可動部１１１には、ゴム材料からなるキャップ１１４が設けられている。キャップ１１４は、シート対向領域よりも右方に位置するキャリッジ２３の下方においてキャリッジ２３と対向して設けられている。詳細には、キャップ１１４は、キャリッジ２３に搭載された記録ヘッド３９の下面に形成されたノズル４０の下方にノズル４０と対面して設けられている。カム機構１１２は、搬送モータ１０２（図５参照）により駆動され、可動部１１１を上下方向７へ移動させる。キャップ１１４は、可動部１１１が上方へ移動されることにより、シート対向領域よりも右方に位置するキャリッジ２３に搭載された記録ヘッド３９の下面に当接する。その際、キャップ１１４はノズル４０を覆う。以上より、キャップ１１４は、搬送モータ１０２から駆動力を伝達されることによって、ノズル４０から離間された離隔位置と、記録ヘッド３９の下面に当接してノズル４０を覆った被覆位置とに移動する。
【００４６】
キャップ１１４には、チューブ１２１の一端が接続されている。チューブ１２１は、可撓性を有する樹脂チューブである。チューブ１２１の他端は、廃インクタンク１２０に接続されている。
【００４７】
ポンプ１１３は、本実施形態において、ロータリー式のチューブポンプである。ポンプ１１３は、内壁面を備えたケーシングと、内壁面に沿って転動される転動ローラとを有する。チューブ１２１が転動ローラと内壁面との間に配置される。転動ローラは、搬送モータ１０２（図５参照）により駆動される。転動ローラが駆動されることにより、ノズル４０内のインクがキャップ１１４を介してチューブ１２１に吸引され、チューブ１２１内のインクが上流（キャップ１１４）から下流（廃インクタンク１２０）へ押し出される。
【００４８】
［駆動力伝達機構７０］
駆動力伝達機構７０は、搬送モータ１０２の駆動力を、搬送ローラ６０を介して、給送ローラ２５及びメンテナンス機構１１０に伝達する。駆動力伝達機構７０は、搬送モータ１０２の駆動力の伝達先を切り替える切替機構７１（図５から図７参照、駆動切替機構の一例）を備えている。
【００４９】
［切替機構７１］
切替機構７１は、搬送モータ１０２からの駆動力の伝達状態を、第１状態及び第２状態に切替可能である。第１状態は、搬送モータ１０２の駆動力を、搬送ローラ６０を介して、給送ローラ２５に伝達する状態である。第２状態は、搬送モータ１０２の駆動力を、搬送ローラ６０を介してメンテナンス機構１１０に伝達する状態である。
【００５０】
図３に示されるように、切替機構７１は、プラテン４２及び搬送路６５よりも右方に設けられている。切替機構７１は、図９及び図１０に示されるように、スライドギヤ７２（切替ギヤの一例）と、ローラギヤ７３（駆動ギヤの一例）と、２つの受けギヤ７４、７５（伝達ギヤの一例）と、スライド機構７６と、離合機構７８と、レバーガイド２８を備えている。
【００５１】
［スライドギヤ７２］
図８に示されるように、スライドギヤ７２は、左右方向９に貫通した円形の貫通孔９３を有している。貫通孔９３の直径は、後述するフリクションパッド８２（抵抗部の一例）の外径及びリリースボス８１（ギヤ支持部材の一例）の外径と一致している。貫通孔９３にフリクションパッド８２が挿入され、その内側にリリースボス８１が挿入されることにより、スライドギヤ７２に、フリクションパッド８２及びリリースボス８１が回転可能に組み付けられる。スライドギヤ７２は、リリースボス８１周りに回転可能である。スライドギヤ７２の外周には、後述するローラギヤ７３及び受けギヤ７４，７５と噛合可能な歯が形成されている。スライドギヤ７２は、後述するスライド機構７６により左右方向９にスライド移動可能である。
【００５２】
［ローラギヤ７３］
図９に示されるように、ローラギヤ７３は、搬送ローラ６０の右端部において、搬送ローラ６０の軸６０Ａ（第１回転軸の一例）に固定されている。これにより、ローラギヤ７３は、搬送ローラ６０と一体に回転する。ローラギヤ７３の左右方向９における長さは、スライドギヤ７２の左右方向９の移動範囲の長さより長い。そのため、スライドギヤ７２は、スライドギヤ７２のスライド移動による左右方向９の位置にかかわらず、ローラギヤ７３と噛合している。そのため、スライドギヤ７２の位置にかかわらず、搬送モータ１０２の駆動力は、ローラギヤ７３を介してスライドギヤ７２に伝達される。
【００５３】
［受けギヤ７４，７５］
図６に示されるように、受けギヤ７４、７５は、左右方向９に沿って延びる回転軸７７（第３回転軸の一例）周りに回転可能である。回転軸７７は、支持枠１５１に支持されている。受けギヤ７４、７５は、左右方向９に沿って間隔を空けて並んだ状態で配置されている。つまり、２つの受けギヤ７４、７５は、左右方向９に沿って並列に配置されている。受けギヤ７５は、受けギヤ７４よりも右方に配置されている。受けギヤ７４、７５の左右方向９の間隔は、スライドギヤ７２の軸方向（左右方向９）の長さよりも長い。
【００５４】
受けギヤ７４は、ギヤ列などによる公知の駆動伝達機構を介して給送ローラ２５（図５参照）と連結されている。そのため、受けギヤ７４が正回転されることにより、給送ローラ２５が駆動される。また、受けギヤ７５は、ギヤ列などの公知の駆動伝達機構を介してメンテナンス機構１１０（図５参照）におけるカム機構１１２（図４参照）とポンプ１１３（図４参照）の転動ローラとに連結されている。そのため、受けギヤ７５が正回転されることにより、メンテナンス機構１１０においてキャップ１１４が被覆位置に移動されポンプ１１３が駆動される。
【００５５】
図７に示されるように、スライドギヤ７２は、スライドギヤ７２の左右方向９の位置に応じて、２つの受けギヤ７４、７５のいずれかと噛合する。なお、スライドギヤ７２は、受けギヤ７４、７５のいずれとも噛合しない左右方向９の位置に位置してもよい。以下では、スライドギヤ７２が受けギヤ７４と噛合可能な、左右方向９におけるスライドギヤ７２の位置を第１スライド位置と称し、スライドギヤ７２が受けギヤ７５と噛合可能な、左右方向９におけるスライドギヤ７２の位置を第２スライド位置と称する。第１スライド位置及び第２スライド位置は、スライド位置の一例である。
【００５６】
［離合機構７８］
離合機構７８は、ローラギヤ７３と、スライドギヤ７２と、フリクションパッド８２と、リリースボス８１と、支軸８３（第２回転軸の一例）とによって構成される。
【００５７】
図８に示されるように、支軸８３は、左右方向９に延びる概ね円柱形状である。図７に示されるように、支軸８３は、左右方向９の両端が後述する支持枠１５１（支持部材の一例）に支持される。
【００５８】
図８に示されるように、リリースボス８１は、左右方向９に延びる概ね円柱形状である。リリースボス８１は、左右方向９に貫通した貫通孔９１を有している。貫通孔９１は、左方から右方を視た状態において、概ね上下方向７に延びる長円形状（長穴の一例）である。より具体的には、図１０及び図１１に示されるように、貫通孔９１の長円形は、左方から右方を視た状態において、搬送ローラ６０の軸６０Ａを中心とした仮想円上に沿って湾曲している。貫通孔９１の長円形における短径は、支軸８３の外径と一致している。貫通孔９１に支軸８３が挿通されることにより、リリースボス８１は、支軸８３に支持されている。
【００５９】
リリースボス８１は、支軸８３の軸方向（左右方向９）に沿って、支軸８３に対して移動可能（スライド可能）である。
【００６０】
さらに、概ね上下方向７に延びる貫通孔９１の長円形状に沿って支軸８３に対してリリースボス８１が移動することにより、リリースボス８１は、左方から右方を視た状態において、搬送ローラ６０の軸６０Ａを中心とした仮想円周上に沿って移動する。これにより、スライドギヤ７２は、左方から右方を視た状態において、回転しながらローラギヤ７３の軸６０Ａを中心として移動可能である。ローラギヤ７３とスライドギヤ７２とは、遊星機構の一例である。
【００６１】
また、図８に示されるように、リリースボス８１は、凸部９２を有している。凸部９２は、左右の外面における前後方向８の中央部において、左右方向９の外方へ突出している。凸部９２は、概ね矩形状である。より具体的には、図１０（Ｂ）及び図１１（Ｂ）に示されるように、凸部９２は、左方から右方を視た状態において、搬送ローラ６０の軸６０Ａを中心とした仮想円上に沿って湾曲している。
【００６２】
図７に示されるように、リリースボス８１の左右方向９の長さは、スライドギヤ７２の左右方向９の長さより長い。すなわち、リリースボス８１は、スライドギヤ７２の左面及び右面より左右にそれぞれ突出している。
【００６３】
図８に示されるように、フリクションパッド８２は、左右方向９に延びる概ね円環形状である。図示しないが、フリクションパッド８２は、リリースボス８１の外周面９９とスライドギヤ７２の内周面７２Ａとの間に位置され、外周面９９と内周面７２Ａとに当接する。フリクションパッド８２は、スライドギヤ７２の回転力をリリースボス８１に伝達可能な摩擦力を発生する。よって、スライドギヤ７２が回転すると、その回転力がフリクションパッド８２を通じてリリースボス８１に伝達される。
【００６４】
［スライド機構７６］
図８に示されるように、スライド機構７６は、ガイドレール４３の貫通孔４５（図９参照）と、ケース８５（案内部材の一例）と、切替レバー８４と、リリースボス８１と、支軸８３と、ねじりコイルバネ８６（付勢部材の一例）とを備えている。
【００６５】
［貫通孔４５］
ガイドレール４３は、右端部に上下方向７に貫通する矩形状の貫通孔４５を有している。貫通孔４５には、後述するケース８５の被規制部１４１が挿通される。切替レバー８４の被規制部１４１は、左右方向９のみに移動するように規制されて、貫通孔４５に支持される。
【００６６】
［ケース８５］
ケース８５は、被規制部１４１と、２つの支持部１４２と、軸部１４３（回動軸及びレバー支持部の一例）とを有している。
【００６７】
図８に示されるように、被規制部１４１は、上下方向７に薄い薄平な概ね直方体形状である。被規制部１４１は、上端部において前面１４１Ａから前方に突出する前突出部１４６と、上端部において後面１４１Ｂから後方に突出する後突出部１４７とを有している。被規制部１４１の前面１４１Ａと後面１４１Ｂとの間の長さは、ガイドレール４３（図９参照）の貫通孔４５の前後方向８の長さと一致している。被規制部１４１の前突出部１４６の前端と後突出部１４７との間の長さは、ガイドレール４３の貫通孔４５の前後方向８の長さより長い。被規制部１４１は、前面１４１Ａと後面１４１Ｂとが前後方向８においてガイドレール４３の貫通孔４５の内周面と当接し、前突出部１４６と後突出部１４７とがガイドレール４３の上方に位置するように、貫通孔４５内に配置される。また、被規制部１４１は、前後方向８及び左右方向９の中央に、上下方向７に貫通する矩形状の貫通孔１４８（図９参照）を有している。貫通孔１４８には、後述する切替レバー８４の当接部９６が挿通される。
【００６８】
図８に示されるように、２つの支持部１４２は、左右方向９における被規制部１４１の両端の下面から、下方に突出している。２つの支持部１４２は同形状であり、左方から右方を視た状態において、概ねＵ字形状である。各支持部１４２は、上下方向７及び前後方向８に沿って拡がる平板形状である。２つの支持部１４２は、左右方向９に間隔を開けて、被規制部１４１の左端部と右端部とに設けられている。各支持部１４２は、下端部に、左右方向９に貫通する円形の貫通孔１４４（挿通孔の一例）を有している。貫通孔１４４の内径は、支軸８３の外径と一致している。貫通孔１４４には、支軸８３が挿通される。
【００６９】
各支持部１４２の下端部における左右方向９の内周面には、左右方向９の外方へ凹む凹部１４５（ガイド部の一例）がそれぞれ設けられている。凹部１４５は、概ね矩形状であり、より具体的には、図１０（Ｂ）及び図１１（Ｂ）に示されるように、凹部１４５は、左方から右方を視た状態において、搬送ローラ６０の軸６０Ａを中心とした仮想円に沿って湾曲している。凹部１４５は、下方に開放されている。貫通孔１４４は、凹部１４５内に位置している。図８に示されるように、２つの支持部１４２の各凹部１４５における底面１４５Ａの間の長さは、リリースボス８１の凸部９２における左右の外面９２Ａの間の長さと一致している。また、各凹部１４５における前壁１４５Ｂ及び後壁１４５Ｃは、リリースボス８１の凸部９２における前壁９２Ｂ及び後壁９２Ｃと一致している。これにより、リリースボス８１の凸部９２は、凹部１４５に嵌入され、この状態で、リリースボス８１は、ケース８５に対して上下方向７、より具体的には、左方から右方を視た状態において、搬送ローラ６０の軸６０Ａを中心とした仮想円上に沿って移動可能である。ケース８５の貫通孔１４４と、リリースボス８１の貫通孔９１とに支軸８３が貫通されるため、リリースボス８１の凸部９２は、凹部１４５から抜け落ちることがない。
【００７０】
軸部１４３は、支持部１４２の上端部において、２つの支持部１４２の内面に架設されている。軸部１４３は、左右方向９に延びる円柱形状である。軸部１４３の外径は、後述する切替レバー８４の本体部９４における貫通孔９８の内径と一致している。軸部１４３は、貫通孔９８に挿通される。これにより、切替レバー８４は、軸部１４３周りに回動可能に、軸部１４３に支持される。
【００７１】
［切替レバー８４］
図８に示されるように、切替レバー８４は、本体部９４と、２つの規制部９５と、当接部９６と、突出部９７とを有している。
【００７２】
切替レバー８４は、ケース８５の軸部１４３周りの回動における回動位置として、第１位置（図１０参照）、第２位置（図１１参照）及び第３位置（図１２参照）に位置される。
【００７３】
第１位置は、図１０に示されるように、当接部９６が、上下方向７に沿って延びる位置（以下、「ロック位置」と称する。）にあり、規制部９５が、リリースボス８１の外周面９９に当接してリリースボス８１の移動を規制する位置（以下、「規制位置」と称する。）にある切替レバー８４の回動位置である。
【００７４】
第２位置は、図１１に示されるように、当接部９６が、ロック位置より後方へ傾倒した位置（以下、「リリース位置」と称する。）にあり、規制部９５が、リリースボス８１の移動を規制しない位置（以下、「非規制位置」と称する。）にある切替レバー８４の回動位置である。
【００７５】
第３位置は、図１２（Ａ）及び図１３に示されるように、当接部９６が、ロック位置に対してリリース位置より更に傾倒した位置にある切替レバー８４の回動位置である。
【００７６】
以下では、第１位置に位置する切替レバー８４の方向を参照して、切替レバー８４の各部について説明する。図８には、第１位置に位置する状態の切替レバー８４が示されている。
【００７７】
図８に示されるように、本体部９４は、概ね直方体形状である。第１位置に位置する切替レバー８４において、本体部９４は、前後方向において、後端部が前端部より下方に位置するように傾斜している。本体部９４の前端には、左右方向９に貫通する円形の貫通孔９８が形成されている。貫通孔９８の内径は、ケース８５の軸部１４３の外径と一致している。貫通孔９８には、ケース８５の軸部１４３が挿通される。これにより、切替レバー８４は、軸部１４３周りに回動可能である。
【００７８】
第１位置に位置する切替レバー８４において、２つの規制部９５は、本体部９４の前端の下面から、下方に突出している。２つの規制部９５は同形状であり、左方から右方を視た状態において、概ねＵ字形状である。各規制部９５は、上下方向７及び前後方向８に沿って拡がる平板形状である。２つの規制部９５は、左右方向９に間隔を開けて、本体部９４の左端部と右端部とに設けられている。図１０（Ａ）に示されるように、左右方向９における各規制部９５の位置は、スライドギヤ７２から左右方向９に突出したリリースボス８１の外周面９９と左右方向９において同一位置にある。これにより、規制部９５は、リリースボス８１の上下動及び軸部１４３を中心とした切替レバー８４の回動により、リリースボス８１の外周面９９と当接可能である。
【００７９】
図８に示されるように、第１位置に位置する切替レバー８４において、当接部９６は、本体部９４の前端部の上面から、上方に延びている。当接部９６は、前後方向８に薄い薄平な直方体形状である。図１０に示されるように、当接部９６は、ケース８５の貫通孔１４８に挿通される。図３に示されるように、当接部９６は、キャリッジ２３の移動領域に位置している。
【００８０】
図８に示されるように、突出部９７は、本体部９４の後端から本体部９４の延びる方向に沿って後方へ突出している。突出部９７は、左右方向９に薄い薄平な直方体形状である。突出部９７の左右方向９の長さは、後述する支持枠１５１の第１溝部１５３（図１２参照、溝部の一例）及び第２溝部１５４（図１２参照、溝部の一例）の左右方向９の長さより短い。切替レバー８４が第１位置にある状態において、突出部９７は、第１溝部１５３又は第２溝部１５４に進入する。
【００８１】
図８に示されるねじりコイルバネ８６は、ケース８５に対する切替レバー８４の軸部１４３周りの回転について、切替レバー８４の第２位置から第１位置へ向かう向きへ切替レバー８４を付勢する。ねじりコイルバネ８６は、ケース８５の支持部１４２の内面１４２Ａと、切替レバー８４の本体部９４の外面９４Ａとの間に配置され、一方の端部が支持部１４２に係合され、他方の端部が本体部９４に係合される。
【００８２】
リリースボス８１の貫通孔９１に支軸８３が挿通されていることにより、リリースボス８１と、スライドギヤ７２と、フリクションパッド８２と、切替レバー８４と、ケース８５とは、支軸８３に対して、一体に左右方向９に移動可能である。
【００８３】
［支持枠１５１］
図１２及び図１３に示されるように、切替機構７１は、支持枠１５１を備えている。支持枠１５１は、概ね直方体形状である。支持枠１５１は、前面が後方に凹んだ凹部１５２を有している。凹部１５２は、上下方向７に開放されている。凹部１５２の後面１５７は、第１案内面１５５と、第２案内面１５６と、第１溝部１５３と、第２溝部１５４とを有している。
【００８４】
第１案内面１５５は、後面１５７の右端部において、後面１５７から左方に向かって後方に傾斜し左前方を向いた面であり、上下方向７に延びている。第１案内面１５５の前端は、第３位置（図１２（Ａ）参照）に位置する切替レバー８４の突出部９７の後端より前方に位置し、第１案内面１５５の後端は、第２位置（図１２（Ｂ）参照）に位置する切替レバー８４の突出部９７の後端より後方に位置する。
【００８５】
第２案内面１５６は、後面１５７の左端部において、後面１５７から右方に向かって後方に傾斜し右前方を向いた面であり、上下方向７に延びている。第２案内面１５６の前端は、第３位置に位置する切替レバー８４の突出部９７の後端より前方に位置し、第２案内面１５６の後端は、第２位置に位置する切替レバー８４の突出部９７の後端より後方に位置する。
【００８６】
第１溝部１５３は、第２案内面１５６の右方において、後方に向けて矩形状に凹んでいる。第１溝部１５３の左前端は、第２案内面１５６の後端と連続している。第１溝部１５３の左右方向９の位置は、スライドギヤ７２の第１スライド位置に対応している。第１溝部１５３の左右方向９に沿った長さは、切替レバー８４における突出部９７の左右方向９の長さより大きい。第１溝部１５３の前端は、第１位置に位置する切替レバー８４の突出部９７の後端より前方に位置し、第１溝部１５３の後端は、第１位置に位置する切替レバー８４の突出部９７の後端より後方に位置する。すなわち、スライドギヤ７２が第１スライド位置にある状態で、第１位置に位置する切替レバー８４の突出部９７は、第１溝部１５３内に位置する。
【００８７】
第２溝部１５４は、第１案内面１５５の左方において、後方に向けて矩形状に凹んでいる。第２溝部１５４の右前端は、第１案内面１５５の後端と連続している。第２溝部１５４の左右方向９の位置は、スライドギヤ７２の第２スライド位置に対応している。第２溝部１５４の左右方向９に沿った長さは、切替レバー８４における突出部９７の左右方向９の長さより大きい。第２溝部１５４の前端は、第１位置に位置する切替レバー８４の突出部９７の後端より前方に位置し、第２溝部１５４の後端は、第１位置に位置する切替レバー８４の突出部９７の後端より後方に位置する。すなわち、スライドギヤ７２が第２スライド位置にある状態で、第１位置に位置する切替レバー８４の突出部９７は、第２溝部１５４内に位置する。
【００８８】
第１溝部１５３と第２溝部１５４とは、左右方向９に間隔を空けて位置している。
【００８９】
第１溝部１５３と第２溝部１５４との間には、中央後面１５８が形成されている。中央後面１５８は、概ね上下方向７及び左右方向９に沿って拡がり、前方を向いた面である。中央後面１５８は、第１位置に位置する切替レバー８４の突出部９７の後端より前方に位置し、第２位置に位置する切替レバー８４の突出部９７の後端より後方に位置する。
【００９０】
［レバーガイド２８］
図３に示されるように、キャリッジ２３は、レバーガイド２８を備える。レバーガイド２８は、キャリッジ２３の後端に配置されている。図９に示されるように、レバーガイド２８は、第１面２９と、第２面３０と、第３面３１とを有している。
【００９１】
第１面２９は、レバーガイド２８の右端において、左方へ向かって後方に向かうように、前後方向８に対して傾斜し、右後方を向いた面である。上下方向７及び前後方向８における第１面２９の位置は、第１位置にある切替レバー８４の当接部９６の左面と当接可能な位置である。
【００９２】
第２面３０は、上下方向７及び前後方向８に沿って延び、右方を向いた面である。第２面３０の前端は、第１面２９の左端と連続している。上下方向７及び前後方向８における第２面３０の位置は、第２位置にある切替レバー８４の当接部９６の左面と当接可能な位置である。
【００９３】
第３面３１は、上下方向７及び前後方向８に沿って延び、左方を向いた面である。第３面３１は、第２面３０より左方に位置している。上下方向７及び前後方向８における第３面３１の位置は、第２位置にある切替レバー８４の当接部９６の右面と当接可能な位置である。
【００９４】
切替レバー８４が第３位置にある状態において、上下方向７において第２面３０及び第３面３１と同じ位置に位置する切替レバー８４の当接部９６の前面は、第２面３０の後端及び第３面３１の後端より後方に位置する。
【００９５】
［制御部１３０］
制御部１３０は、図５に示されるように、ＣＰＵ１３１、ＲＯＭ１３２、ＲＡＭ１３３、ＥＥＰＲＯＭ１３４、及びＡＳＩＣ１３５を備えており、これらは内部バス１３７によって接続されている。ＲＯＭ１３２には、ＣＰＵ１３１が各種動作を制御するためのプログラムなどが格納されている。ＲＡＭ１３３は、ＣＰＵ１３１が上記プログラムを実行する際に用いるデータや信号等を一時的に記録する記憶領域、或いはデータ処理の作業領域として使用される。ＥＥＰＲＯＭ１３４には、電源オフ後も保持すべき設定やフラグ等が格納される。
【００９６】
ＡＳＩＣ１３５には、搬送モータ１０２、及びキャリッジモータ１０３などが接続されている。ＡＳＩＣ１３５は、各モータを回転させるための駆動信号を生成し、この駆動信号を元に各モータを制御する。各モータは、ＡＳＩＣ１３５からの駆動信号によって正回転又は逆回転する。例えば、制御部１３０は、搬送モータ１０２の駆動を制御して各ローラ６０、６２を回転させたりメンテナンス機構１１０を駆動させたりする。また、制御部１３０は、キャリッジモータ１０３の駆動を制御してキャリッジ２３を往復移動させる。また、制御部１３０は、記録ヘッド３９を制御してノズル４０からインク滴を吐出させる。
【００９７】
また、ＡＳＩＣ１３５には、リニアエンコーダ５２の光学センサ５１が接続されている。ＣＰＵ１３１は、光学センサ５１からの検知信号に基づいてキャリッジ２３の位置を算出する。詳細には、制御部１３０は、キャリッジ２３を移動させて、搬送路６５よりも右方または左方に設けられたフレーム（不図示）に当接させることによって、キャリッジ２３の原点位置を決定しておく。そして、制御部１３０は、光学センサ５１からの検知信号に基づいて当該原点位置からキャリッジ２３の移動量を算出することによって、キャリッジ２３の位置を算出する。
【００９８】
［第１スライド処理］
以下、図１４のフローチャートを参照して、第１スライド処理が説明される。第１スライド処理は、スライドギヤ７２が受けギヤ７４と噛合している状態から、受けギヤ７５と噛合した状態に移動される処理である。各処理は、制御部１３０のＣＰＵ１３１によって実行される。なお、以下の各処理は、ＲＯＭ１３２に記憶されているプログラムをＣＰＵ１３１が読み出して実行してもよいし、制御部１３０に搭載されたハードウェア回路によって実現されてもよい。
【００９９】
スライドギヤ７２が受けギヤ７４と噛合している状態において、スライドギヤ７２は、第１スライド位置に位置している。このとき、切替レバー８４は、第１位置にあり、突出部９７は、第１溝部１５３内に位置している。初期状態として、キャリッジ２３は、メンテナンス位置に位置している。メンテナンス位置は、メンテナンス機構１１０におけるキャップ１１４の上方に記録ヘッド３９のノズル４０が位置するときのキャリッジ２３の位置である。キャリッジ２３がメンテナンス位置にある状態において、レバーガイド２８の第１面２９は、左右方向９において切替レバー８４の当接部９６より左方に位置する。
【０１００】
また、以下に、キャリッジ２３の走査方向の位置を示す用語として、「第１解除位置」、「第２解除位置」及び「折返位置」が定義される。
【０１０１】
第１解除位置は、図示されていないが、スライドギヤ７２が第１スライド位置にある状態において、レバーガイド２８の第２面３０が切替レバー８４の当接部９６に当接するキャリッジ２３の位置である。第１解除位置におけるレバーガイド２８の第２面３０と、切替レバー８４の当接部９６との当接状態は、後述する図１１に示される第２解除位置における第２面３０と当接部９６との当接状態と同一である。
【０１０２】
第２解除位置は、レバーガイド２８が図１１に示される位置にあるときのキャリッジ２３の位置である。第２解除位置は、スライドギヤ７２が第２スライド位置にある状態において、レバーガイド２８の第２面３０が切替レバー８４の当接部９６に当接するキャリッジ２３の位置である。
【０１０３】
折返位置は、レバーガイド２８が図１２（Ｂ）に示される位置にあるときのキャリッジ２３の位置である。折返位置は、レバーガイド２８の第３面３１が切替レバー８４の当接部９６より右方に位置するまでキャリッジ２３が移動した位置である。
【０１０４】
第１スライド処理において、制御部１３０は、キャリッジモータ１０３に制御信号を出力して正回転させる。これにより、キャリッジモータ１０３の回転が伝達されてキャリッジ２３が右方に移動する。また、制御部１３０は、リニアエンコーダ５２からパルス信号を受信し、パルス数によりメンテナンス位置からのキャリッジ２３の移動距離を算出し、キャリッジ２３が第１解除位置に到達したときにキャリッジモータ１０３の回転を停止させる（ステップＳ１１）。
【０１０５】
キャリッジ２３がメンテナンス位置から第１解除位置まで移動される過程において、第１位置の切替レバー８４の当接部９６がレバーガイド２８の第１面２９に当接する。この状態からレバーガイド２８が更に右方へ移動することにより、当接部９６と第１面２９との当接によって、当接部９６に右向きの力が加わる。切替レバー８４は、スライドギヤ７２が受けギヤ７４と噛合していること、及び切替レバー８４の突出部９７が第１溝部１５３内に位置していることによって、左右方向９の移動が規制されている。そのため、第１面２９の傾斜によって、当接部９６には、後向きの力が加わる。これにより、軸部１４３を中心として当接部９６が後向きに移動するように切替レバー８４が回動し、当接部９６が第１面２９に沿って摺動しながら、キャリッジ２３が第１解除位置まで移動する。
【０１０６】
この状態において、切替レバー８４は第２位置であり、切替レバー８４の突出部９７が支持枠１５１の第１溝部１５３から外れる。また、切替レバー８４の規制部９５は、非規制位置に位置して、スライドギヤ７２の移動の規制を解除する。
【０１０７】
次に、制御部１３０は、搬送モータ１０２に制御信号を出力して所定の回転量だけ逆回転させる（ステップＳ１２）。これにより、搬送モータ１０２の回転が伝達されてローラギヤ７３が回転向き１６１（図１１（Ａ）参照、紙面における時計回り）に回転する。ローラギヤ７３とスライドギヤ７２とは噛合しているため、ローラギヤ７３が回転向き１６１に回転すると、スライドギヤ７２のギヤ歯における当接面に上向きの力が加わる。この力は、スライドギヤ７２を回転向き１６２（図１１（Ａ）参照、紙面における逆時計回り）に回転させようとする。このとき、フリクションパッド８２によってスライドギヤ７２の内周面とリリースボス８１の外周面９９との間に摩擦力が働き、リリースボス８１をスライドギヤ７２と共に回転させようとする。しかしながら、リリースボス８１の凸部９２がケース８５の凹部１４５に嵌合しているため、リリースボス８１の回転が規制される。その結果、ローラギヤ７３からリリースボス８１に伝達された力により、リリースボス８１及びスライドギヤ７２が上向きに移動される。これにより、スライドギヤ７２は、受けギヤ７４と噛合する噛合位置から、受けギヤ７４と離間する離間位置へ移動され、受けギヤ７４とスライドギヤ７２との噛合が外れる。
【０１０８】
次に、制御部１３０は、キャリッジモータ１０３に制御信号を出力するとともに、リニアエンコーダ５２から出力されたパルス信号のパルス数をカウントして、スライドギヤ７２が第２スライド位置に到達するまで、キャリッジ２３を右方に移動させる（ステップＳ１３）。
【０１０９】
キャリッジ２３が第１解除位置から右方に移動される過程において、レバーガイド２８の第２面３０に当接している切替レバー８４の当接部９６が、第２面３０に右向きに押されて移動し、これに伴い切替レバー８４、スライドギヤ７２及びケース８５が移動される。
【０１１０】
次に、制御部１３０は、搬送モータ１０２に制御信号を出力して所定の回転量だけ正回転させる（ステップＳ１４）。これにより、搬送モータ１０２の回転が伝達されてローラギヤ７３が回転向き１６２（図１１（Ａ）参照）に回転する。ローラギヤ７３とスライドギヤ７２とは噛合しているため、ローラギヤ７３が回転向き１６２に回転すると、スライドギヤ７２のギヤ歯における当接面に下向きの力が加わる。この力は、スライドギヤ７２を回転向き１６１（図１１（Ａ）参照）に回転させようとする。このとき、フリクションパッド８２によってスライドギヤ７２の内周面とリリースボス８１の外周面９９との間に摩擦力が働き、リリースボス８１をスライドギヤ７２と共に回転させようとする。しかしながら、リリースボス８１の凸部９２がケース８５の凹部１４５に嵌合しているため、リリースボス８１の回転が規制される。その結果、ローラギヤ７３からリリースボス８１に伝達された力により、リリースボス８１及びスライドギヤ７２が下向きに移動される。これにより、スライドギヤ７２は、受けギヤ７５と離間する離間位置から、受けギヤ７５と噛合する噛合位置へ移動され、受けギヤ７５とスライドギヤ７２とが噛合する。
【０１１１】
次に、制御部１３０は、キャリッジモータ１０３に制御信号を出力するとともに、リニアエンコーダ５２から出力されたパルス信号のパルス数をカウントして、キャリッジ２３がメンテナンス位置に到達するまで、キャリッジ２３を左方に移動させる（ステップＳ１５）。切替レバー８４は、ねじりコイルバネ８６によって回転向き１６１に付勢されているので、キャリッジ２３がメンテナンス位置に移動することにより、レバーガイド２８と当接部９６との当接が外れて、切替レバー８４は、回転向き１６１に回動し、第１位置に戻る。これにより、切替レバー８４の規制部９５は、第２溝部１５４内に位置して、スライドギヤ７２の移動を規制する。
【０１１２】
次に、制御部１３０は、搬送モータ１０２を正回転又は逆回転させることにより、受けギヤ７５と接続された駆動部を駆動する（ステップＳ１６）。
【０１１３】
［第２スライド処理］
以下、図１５のフローチャートを参照して、第２スライド処理が説明される。第２スライド処理は、スライドギヤ７２が受けギヤ７５と噛合している状態から、受けギヤ７４と噛合した状態に移動される処理である。
【０１１４】
図１０に示されるように、スライドギヤ７２が受けギヤ７５と噛合している状態において、スライドギヤ７２は、第２スライド位置に位置している。このとき、切替レバー８４は、第１位置にあり、突出部９７は、第２溝部１５４内に位置している。初期状態として、キャリッジ２３はメンテナンス位置に位置している。
【０１１５】
制御部１３０は、キャリッジモータ１０３に制御信号を出力して正回転させる。これにより、キャリッジモータ１０３の回転が伝達されてキャリッジ２３が右方に移動する。また、制御部１３０は、リニアエンコーダからパルス信号を受信し、パルス数により移動開始位置からのキャリッジ２３の移動距離を算出し、キャリッジ２３が第２解除位置に到達したときにキャリッジモータ１０３の回転を停止させる（ステップＳ２１）
【０１１６】
キャリッジ２３がメンテナンス位置から第２解除位置まで移動される過程において、第１位置の切替レバー８４の当接部９６がレバーガイド２８の第１面２９に当接する。この状態からレバーガイド２８が更に右方へ移動することにより、当接部９６と第１面２９との当接によって、当接部９６に右向きの力が加わる。図１０に示されるように、切替レバー８４は、スライドギヤ７２が受けギヤ７５と噛合していること、及び切替レバー８４の突出部９７が第２溝部１５４内に位置していることによって、左右方向９の移動が規制されている。そのため、第１面２９の傾斜によって、当接部９６には、後向きの力が加わる。これにより、軸部１４３を中心として当接部９６が後向きに移動するように切替レバー８４が回動し、当接部９６が第１面２９に沿って摺動しながら、キャリッジ２３が第２解除位置（図１１参照）まで移動する。
【０１１７】
この状態において、図１１に示されるように、切替レバー８４は第２位置であり、切替レバー８４の突出部９７が支持枠１５１の第２溝部１５４から外れる。切替レバー８４の規制部９５は、非規制位置に位置して、スライドギヤ７２の移動の規制を解除する。
【０１１８】
次に、制御部１３０は、搬送モータ１０２に制御信号を出力して所定の回転量だけ逆回転させる（ステップＳ２２）。これにより、搬送モータ１０２の回転が伝達されてローラギヤ７３が回転向き１６１（図１１（Ａ）参照）に回転する。ローラギヤ７３とスライドギヤ７２とは噛合しているため、ローラギヤ７３が回転向き１６１に回転すると、スライドギヤ７２のギヤ歯における当接面に上向きの力が加わる。この力は、スライドギヤ７２を回転向き１６２（図１１（Ａ）参照）に回転させようとする。このとき、フリクションパッド８２によってスライドギヤ７２の内周面とリリースボス８１の外周面９９との間に摩擦力が働き、リリースボス８１をスライドギヤ７２と共に回転させようとする。しかしながら、リリースボス８１の凸部９２がケース８５の凹部１４５に嵌合しているため、リリースボス８１の回転が規制される。その結果、ローラギヤ７３からリリースボス８１に伝達された力により、リリースボス８１及びスライドギヤ７２が上向きに移動される。これにより、スライドギヤ７２は、受けギヤ７４と噛合する噛合位置（図１０参照）から、受けギヤ７４と離間する離間位置（図１１参照）へ移動され、受けギヤ７４とスライドギヤ７２との噛合が外れる。
【０１１９】
次に、制御部１３０は、キャリッジモータ１０３に制御信号を出力するとともに、リニアエンコーダ５２から出力されたパルス信号のパルス数をカウントして、キャリッジ２３を折返位置まで移動させる（ステップＳ２３）。
【０１２０】
キャリッジ２３が第２解除位置から折返位置まで移動される過程において、レバーガイド２８の第２面３０に当接している切替レバー８４の当接部９６が、第２面３０に右向きに押されて移動する（図１１参照）。このとき、切替レバー８４の突出部９７が第１案内面１５５に当接する。図１２（Ａ）に示されるように、この状態からレバーガイド２８が更に右方へ移動することにより、突出部９７と第１案内面１５５との当接によって、突出部９７に左向きの力が加わる。このとき、第１案内面１５５の傾斜によって、突出部９７には、前向きの力が加わる。そのため、回動軸を中心として突出部９７が前向きに移動するように切替レバー８４が回動し、突出部９７が第１案内面１５５に沿って摺動しながら、切替レバー８４が第３位置まで回動される（図１２（Ａ）参照）。
【０１２１】
切替レバー８４の第３位置において、当接部９６は、前後方向８においてレバーガイド２８より後方に位置している。そのため、キャリッジ２３が更に右方に移動して折返位置に到達する（図１２（Ｂ）参照）。切替レバー８４が、ねじりコイルバネ８６によって回転向き１６１（図１１（Ａ）参照）に付勢されているので、キャリッジ２３が第２解除位置から折返位置に移動する過程において、切替レバー８４の当接部９６は、レバーガイド２８に後方から常に当接している。よって、折返位置において、切替レバー８４の当接部９６は第３位置から第２位置に回動し、レバーガイド２８の第３面３１より左方に位置する。このとき、スライドギヤ７２は離間位置に位置している。
【０１２２】
次に、制御部１３０は、キャリッジモータ１０３に制御信号を出力するとともに、リニアエンコーダから出力されたパルス信号のパルス数をカウントして、キャリッジ２３がメンテナンス位置に到達するまで、キャリッジ２３を左方に移動させる（ステップＳ２４）。
【０１２３】
キャリッジ２３が折返位置からメンテナンス位置まで移動される過程において、切替レバー８４の当接部９６がレバーガイド２８の第３面３１に当接する。そして、当接部９６が第３面３１に左向きに押されて移動する。このとき、切替レバー８４は第２位置に位置するため、切替レバー８４の突出部９７の後端は、第１溝部１５３の前端、第２溝部１５４の前端及び中央後面１５８よりも前方に位置しており、切替レバー８４の突出部９７が第２案内面１５６に当接するまで、切替レバー８４、スライドギヤ７２及びケース８５が移動する。
【０１２４】
図１３に示されるように、切替レバー８４の突出部９７が第２案内面１５６に当接した状態からレバーガイド２８が更に左方へ移動することにより、突出部９７と第２案内面１５６との当接によって、突出部９７に右向きの力が加わる。このとき、第２案内面１５６の傾斜によって、突出部９７には、前向きの力が加わる。そのため、回動軸を中心として突出部９７が前向きに移動するように切替レバー８４が回動し、第２案内面１５６が突出部９７に沿って摺動しながら、切替レバー８４が第３位置まで回動される。
【０１２５】
切替レバー８４の第３位置において、前後方向８における当接部９６は、レバーガイド２８より後方に位置している。そのため、キャリッジ２３が更に左方に移動してメンテナンス位置に到達する。メンテナンス位置において、切替レバー８４の当接部９６は、レバーガイド２８より右方に位置する。このとき、スライドギヤ７２は離間位置に位置している。
【０１２６】
切替レバー８４が、ねじりコイルバネ８６によって回転向き１６１（図１１（Ａ）参照）に付勢されているので、キャリッジ２３が折返位置からメンテナンス位置に移動する過程において、切替レバー８４の当接部９６は、レバーガイド２８に後方から当接している。そのため、レバーガイド２８が当接部９６より左方へ移動した後、切替レバー８４は回転向き１６１（図１１（Ａ）参照）に回動する。
【０１２７】
次に、制御部１３０は、キャリッジモータ１０３に制御信号を出力するとともに、リニアエンコーダ５２から出力されたパルス信号のパルス数をカウントして、スライドギヤ７２が第１スライド位置に到達するまで、キャリッジ２３を右方に移動させる（ステップＳ２５）。
【０１２８】
キャリッジ２３がメンテナンス位置から右方に移動される過程において、レバーガイド２８の第２面３０に切替レバー８４の当接部９６が当接する。切替レバー８４の当接部９６が、第２面３０に右向きに押されて移動し、これに伴い切替レバー８４、スライドギヤ７２及びケース８５が移動される。
【０１２９】
次に、制御部１３０は、搬送モータ１０２に制御信号を出力して所定の回転量だけ正回転させる（ステップＳ２６）。これにより、搬送モータ１０２の回転が伝達されてローラギヤ７３が回転向き１６２（図１１（Ａ）参照）に回転する。ローラギヤ７３とスライドギヤ７２とは噛合しているため、ローラギヤ７３が回転向き１６２に回転すると、スライドギヤ７２のギヤ歯における当接面に下向きの力が加わる。この力は、スライドギヤ７２を回転向き１６１（図１１（Ａ）参照）に回転させようとする。このとき、フリクションパッド８２によってスライドギヤ７２の内周面とリリースボス８１の外周面９９との間に摩擦力が働き、リリースボス８１をスライドギヤ７２と共に回転させようとする。しかしながら、リリースボス８１の凸部９２がケース８５の凹部１４５に嵌合しているため、リリースボス８１の回転が規制される。その結果、ローラギヤ７３からリリースボス８１に伝達された力により、リリースボス８１及びスライドギヤ７２が下向きに移動される。これにより、スライドギヤ７２は、受けギヤ７４と離間する離間位置から、受けギヤ７５と噛合する噛合位置へ移動され、受けギヤ７４とスライドギヤ７２とが噛合する。
【０１３０】
その後、制御部１３０は、キャリッジモータ１０３に制御信号を出力するとともに、リニアエンコーダから出力されたパルス信号のパルス数をカウントして、キャリッジ２３がメンテナンス位置に到達するまで、キャリッジ２３を左方に移動させる（ステップＳ２７）。これにより、レバーガイド２８と切替レバー８４の当接部９６との当接が外れて、ねじりコイルバネ８６の付勢により、切替レバー８４の規制部９５は、規制位置に位置して、スライドギヤ７２の移動を規制する。
【０１３１】
次に、制御部１３０は、搬送モータ１０２を正回転又は逆回転させることにより、受けギヤ７５と接続された駆動部を駆動する（ステップＳ２８）。
【０１３２】
［本実施形態の作用効果］
以上のように、スライドギヤ７２が噛合位置から離間位置へ移動されることにより、スライドギヤ７２と受けギヤ７４、７５との面圧が確実に解除される。また、スライドギヤ７２が離間位置に位置する状態で、スライドギヤ７２が走査方向（左右方向９）に沿ってスライドされる。そのため、ローラギヤ７３を逆回転させて面圧を解除する必要がないので、搬送モータ１０２の駆動力の伝達先の切替が迅速に行われる。
【０１３３】
離合機構７８は、ローラギヤ７３の回転方向に基づいてスライドギヤ７２を噛合位置又は離間位置へ移動させる遊星機構を有している。制御部１３０は、搬送モータ１０２を制御して、ローラギヤ７３を正回転させてスライドギヤ７２を噛合位置から離間位置へ移動させ、搬送モータ１０２を制御して、ローラギヤ７３を逆回転させてスライドギヤ７２を離間位置から噛合位置へ移動させる。そのため、噛合位置と離間位置との間でスライドギヤ７２が容易に移動される。
【０１３４】
リリースボス８１の貫通孔９１が長穴であるため、長穴に沿ってリリースボス８１が移動可能である。スライドギヤ７２の回転力がフリクションパッド８２によってリリースボス８１へ伝達されると、スライドギヤ７２が噛合位置から離間位置へ移動するか、又は、離間位置から噛合位置へ移動するように、リリースボス８１が移動する。
【０１３５】
キャリッジ２３の移動によって、切替レバー８４が第１位置と第２位置とに回動する。第１位置において、スライドギヤ７２が噛合位置から離間位置へ移動することが規制され、第２位置において、当該規制が解除される。そのため、スライドギヤ７２の移動の規制及び規制解除がキャリッジ２３の移動によって行われる。
【０１３６】
レバーガイド２８の第１面２９によって切替レバー８４の当接部９６が案内されることにより、キャリッジ２３の当接によって切替レバー８４が第１位置から第２位置へ回動される。これにより、スライドギヤ７２の移動の規制が解除される。その後、レバーガイド２８の第２面３０によって切替レバー８４の当接部９６が移動されることにより、切替レバー８４が第２位置に保持されたまま右方へ移動される。その結果、スライドギヤ７２が右方へ移動される。
【０１３７】
支持枠１５１は、スライドギヤ７２の第２スライド位置及び第１スライド位置に対応して設けられた第１溝部１５３及び第２溝部１５４を備えている。切替レバー８４の突出部９７は、第１位置において第１溝部１５３又は第２溝部１５４に進入して走査方向に沿った切替レバー８４の移動を規制し、第２位置において第１溝部１５３及び第２溝部１５４から離れて走査方向に沿った切替レバー８４の移動を許容する。そのため、スライドギヤ７２が受けギヤ７４、７５と噛合可能な第２スライド位置又は第１スライド位置においてのみ、切替レバー８４が第１位置へ移動可能となる。
【０１３８】
キャリッジ２３が右方へ移動することで、切替レバー８４の当接部９６が右方へ移動し、第１案内面１５５に突出部９７が案内されて切替レバー８４が第３位置へ回動する。これにより、当接部９６が第３面３１を越える位置までレバーガイド２８が右方へ移動する。この移動とねじりコイルバネ８６の付勢により、切替レバー８４の当接部９６がレバーガイド２８の第３面３１と当接する。この状態でキャリッジ２３が左方へ移動すると、当接部９６が左方へ引っ張られる。その結果、スライドギヤ７２が左方へ移動される。
【０１３９】
また、キャリッジ２３が左方へ移動することで、切替レバー８４の当接部９６が左方へ移動し、第２案内面１５６に突出部９７が案内されて切替レバー８４が第３位置に回動する。これにより、当接部９６が第２面３０を越える位置までレバーガイド２８が左方へ移動する。この移動とねじりコイルバネ８６の付勢により、切替レバー８４の当接部９６がレバーガイド２８の第２面３０と当接する。この状態でキャリッジ２３が右方へ移動すると、当接部９６が右方へ押される。その結果、スライドギヤ７２が右方へ移動される。
【０１４０】
［変形例］
前述の実施形態では、離合機構７８は、遊星機構によってスライドギヤ７２を噛合位置と離間位置との間で移動するように構成されたが、他の機構によって実現されてもよい。例えば、離合機構７８が電磁弁を備え、制御部１３０が電磁弁を制御することにより、スライドギヤ７２が噛合位置と離間位置との間で移動するように構成されてもよい。
【０１４１】
また、前述の実施形態では、離合機構７８において、リリースボス８１の貫通孔９１は、搬送ローラ６０の軸６０Ａを中心とする仮想円周上に沿った長円形を有していた。これにより、スライドギヤ７２が搬送ローラ６０の軸６０Ａを中心とする仮想円周上を移動して遊星機構が構成された。そのため、ローラギヤ７３の逆回転によって、スライドギヤ７２が噛合位置から離間位置に移動され、ローラギヤ７３の正回転によって、スライドギヤ７２が離間位置から噛合位置に移動された。しかしながら、例えば、リリースボス８１の貫通孔９１が直線的な長円形を有していてもよい。この場合、例えば、ローラギヤ７３の逆回転によって、スライドギヤ７２が噛合位置から離間位置に移動され、他の機構によって、スライドギヤ７２が離間位置から噛合位置に移動されとよい。例えば、切替レバー８４が第２位置から第１位置へ移動することにより、規制部９５の下端部が後方へ移動しながらリリースボス８１の外周面９９を押し、この力が下方への力に変換されて、リリースボス８１が下方に移動するように構成されてもよい。
【０１４２】
また、受けギヤ７４、７５から駆動力が伝達される駆動部は、メンテナンス機構１１０又は給送部１５でなくてもよい。例えば、記録紙１２の両面に画像を記録する両面印刷機能を備える複合機１０の場合、受けギヤ７５は、記録紙１２を反転させて搬送するための搬送経路に設けられた搬送ローラに駆動力を伝達するものであってもよい。この場合、スライドギヤ７２が受けギヤ７４と噛合する状態から受けギヤ７５と噛合する状態に切り替えた後、キャリッジ２３をメンテナンス位置に戻すのではなく、レバーガイド２８と切替レバー８４の当接部９６との当接が解除される位置までキャリッジ２３を第２解除位置から左方に動かせばよい。これにより、切替レバー８４を第１位置に回動させて、駆動部を駆動させることができる。
【符号の説明】
【０１４３】
９・・・左右方向（走査方向）
１０・・・複合機（画像記録装置）
１２・・・記録紙（シート）
１６・・・搬送向き
２３・・・キャリッジ
２５・・・給送ローラ（駆動部）
２８・・・レバーガイド
２９・・・第１面
３０・・・第２面
３１・・・第３面
３９・・・記録ヘッド
６０Ａ・・・軸（第１回転軸）
６５・・・搬送路
７１・・・切替機構（駆動切替機構）
７２・・スライドギヤ（切替ギヤ）
７３・・・ローラギヤ（駆動ギヤ）
７４、７５・・・受けギヤ（伝達ギヤ）
７６・・・スライド機構
７７・・・回転軸（第３回転軸）
８１・・・リリースボス（ギヤ支持部材）
８２・・・フリクションパッド（抵抗部）
８３・・・支軸（第２回転軸）
８４・・・切替レバー
８５・・・ケース（案内部材）
８６・・・ねじりコイルバネ（付勢部材）
９１・・・貫通孔
９５・・・規制部
９６・・・当接部
９７・・・突出部
９９・・・周面
１０２・・・搬送モータ（第２モータ）
１０３・・・キャリッジモータ（第１モータ）
１１０・・・メンテナンス機構（駆動部）
１３０・・・制御部
１４３・・・軸部（回動軸、レバー支持部）
１４４・・・貫通孔（挿通孔）
１４５・・・凹部（ガイド部）
１５１・・・支持枠（支持部材）
１５３・・・第１溝部（溝部）
１５４・・・第２溝部（溝部）
１５５・・・第１案内面
１５６・・・第２案内面
【図１】
0006728896.tif 000002
【図２】
0006728896.tif 000003
【図３】
0006728896.tif 000004
【図４】
0006728896.tif 000005
【図５】
0006728896.tif 000006
【図６】
0006728896.tif 000007
【図７】
0006728896.tif 000008
【図８】
0006728896.tif 000009
【図９】
0006728896.tif 000010
【図１０】
0006728896.tif 000011
【図１１】
0006728896.tif 000012
【図１２】
0006728896.tif 000013
【図１３】
0006728896.tif 000014
【図１４】
0006728896.tif 000015
【図１５】
0006728896.tif 000016